(57)【要約】      （修正有）【課題】電力配電網の稼働を管理するためのコンピュータ化システムを提供する。【解決手段】電力配電網（２５０）の電子式保護リレー（２）に動作可能に結合された、またはその中に備えられた少なくとも１つのアクセサリデバイス（１）であって、前記電力配電網の稼働に関連する網データを、１つまたは複数の電子デバイス（２１、２２、２３、２４、２Ａ、２Ｂ、２Ｃ、２Ｄ）から収集するように構成される。インターネットを介して前記網データを送信するように構成される、少なくとも１つのアクセサリデバイスと、インターネットを介して前記少なくとも１つのアクセサリデバイスと通信および対話ができるコンピュータ化プラットフォーム（３４０）と、インターネットを介して前記アクセサリデバイス（１）および前記管理プラットフォーム（４０）と通信ができるコンピュータ化構成ユニット（５０）とを備える。【選択図】図１
2018153073.tif 000002
【特許請求の範囲】
【請求項１】
電力配電網（２５０）の稼働を管理するためのコンピュータ化システム（１００）であって、
−  電力配電網（２５０）の電子式保護リレー（２）に動作可能に結合された、またはその中に備えられた少なくとも１つのアクセサリデバイス（１）であって、前記電力配電網（２５０）の稼働に関連する網データ（Ｄ）を、前記電子式保護リレーの、または前記電子式保護リレーに動作可能に接続された、前記少なくとも１つのアクセサリデバイスと通信する１つまたは複数の電子デバイス（２１、２２、２３、２４、２Ａ、２Ｂ、２Ｃ、２Ｄ）からインターネットを介して収集し送信するように構成される、少なくとも１つのアクセサリデバイスと、
−  インターネットを介して前記少なくとも１つのアクセサリデバイス（１）と通信および対話ができるコンピュータ化プラットフォーム（３４０）と
を備えることを特徴とするコンピュータ化システム（１００）において、
インターネットを介して前記少なくとも１つのアクセサリデバイス（１）および前記管理プラットフォーム（３４０）と通信ができるコンピュータ化構成ユニット（５０）を備え、前記コンピュータ化構成ユニットが、前記少なくとも１つのアクセサリデバイス（１）の構成方法（ＣＦＰ）を実行するように適合され、前記構成方法が以下のステップ、すなわち、
−  コンピュータ表示装置（５２）上に、ユーザにより活動化可能なグラフィックリソース（１９０、１１、１２、１３、１４、１５、１６、１７、１８）を含むグラフィックユーザインターフェース（５００）を提示するステップと、
−  前記グラフィックユーザインターフェース（５００）上に第１のグラフィックリソース（１１）を提示して、ユーザが、１つまたは複数の構成可能アクセサリデバイス（１）の構成を実行するために必要な所与の動作条件があるかどうかを確かめるのを助けるステップと、
−  前記グラフィックインターフェース（５００）上に第２のグラフィックリソース（１２）を提示して、ユーザが前記構成可能アクセサリデバイス（１）との通信リンクを確立するための探索を起動するのを助けるステップと、
−  前記第２のグラフィックリソースの活動化に応じて、前記構成可能アクセサリデバイス（１）のインターネットを介する探索を行うステップと、
−  前記グラフィックユーザインターフェース（５００）上に第３のグラフィックリソース（１３）を提示して、ユーザが前記１つまたは複数の構成可能アクセサリデバイスの中からアクセサリデバイス（１）を選択するのを助け、また選択されたアクセサリデバイスにアクセスするためのセキュリティアクセスコードを提供するのを助けるステップであって、前記セキュリティアクセスコードが、前記選択されたアクセサリデバイスに物理的にアクセスすることによって取得可能である、ステップと、
−  前記セキュリティアクセスコードの入力に応じて、前記選択されたアクセサリデバイス（１）との通信チャネルを活動化するステップと、
−  前記グラフィックユーザインターフェース（５００）上に第４のグラフィックリソース（１４）を提示して、ユーザが、前記選択されたアクセサリデバイスを構成するための第１の構成情報（ＣＦ１）を提供するのを助けるステップと、
−  前記グラフィックユーザインターフェース（５００）上に第５のグラフィックリソース（１５）を提示して、ユーザが、前記選択されたアクセサリデバイスを電気プラントに関連付けるための第２の構成情報（ＣＦ２）を提供するのを助けるステップと、
−  前記グラフィックユーザインターフェース（５００）上に第６のグラフィックリソース（１６）を提示して、ユーザが前記選択されたアクセサリデバイスの構成プロセスを起動するのを助けるステップと、
−  前記第６のグラフィックリソースの活動化に応じて、前記構成プロセスを実行するステップであって、前記構成プロセスが以下のステップ、すなわち、
−  前記第１および第２の構成情報（ＣＦ１、ＣＦ２）に基づいて、前記選択されたアクセサリデバイス（１）用のデータ収集ファイル（ＤＧＦ）およびデータ発行ファイル（ＤＰＦ）を生成するステップ、
−  前記データ収集ファイル（ＤＧＦ）および前記データ発行ファイル（ＤＰＦ）を前記選択されたアクセサリデバイスへ送信するステップ、ならびに
−  前記第１および第２の構成情報（ＣＦ１、ＣＦ２）を前記コンピュータ化プラットフォーム（３４０）へ送信するステップを含む、前記構成プロセスを実行するステップと
を含むことを特徴とする、コンピュータ化システム（１００）。
【請求項２】
前記第１のグラフィックリソース（１１）が、予備構成データを１つまたは複数の構成可能アクセサリデバイス（１）にユーザが提供するのを助けるための１つまたは複数のグラフィックオブジェクト（１１１）を含むことを特徴とする、請求項１に記載のコンピュータ化システム。
【請求項３】
前記第１のグラフィックリソース（１１）が、１つまたは複数の構成可能アクセサリデバイス（１）の接続性状況をユーザが確かめるのを案内するための１つまたは複数のグラフィックオブジェクト（１１２）を含むことを特徴とする、請求項１または２に記載のコンピュータ化システム。
【請求項４】
前記第２のグラフィックリソース（１２）が、自動探索を起動して１つまたは複数の構成可能アクセサリデバイス（１）との通信リンクを確立するための１つまたは複数のグラフィックオブジェクト（１２１）を含むことを特徴とする、請求項１から３のいずれか一項に記載のコンピュータ化システム。
【請求項５】
前記第２のグラフィックリソース（１２）が、手動探索を起動して１つまたは複数の構成可能アクセサリデバイス（１）との通信リンクを確立するための１つまたは複数のグラフィックオブジェクト（１２２）を含むことを特徴とする、請求項１から４のいずれか一項に記載のコンピュータ化システム。
【請求項６】
前記第３のグラフィックリソース（１３）が、前記コンピュータ化構成ユニットと通信する１つまたは複数の構成可能アクセサリデバイス（１）のリストを作成するための１つまたは複数のグラフィックオブジェクト（１３１）を含むことを特徴とする、請求項１から５のいずれか一項に記載のコンピュータ化システム。
【請求項７】
前記第３のグラフィックリソース（１３）が、前記セキュリティアクセスコードを入力するための１つまたは複数のグラフィックオブジェクト（１３２）を含むことを特徴とする、請求項１から６のいずれか一項に記載のコンピュータ化システム。
【請求項８】
前記第５のグラフィックリソース（１５）が、前記選択されたアクセサリデバイス（１）を既存の電気プラントに関連付けるための１つまたは複数のグラフィックオブジェクト（１５１）を含むことを特徴とする、請求項１から７のいずれか一項に記載のコンピュータ化システム。
【請求項９】
前記第５のグラフィックリソース（１５）が、前記選択されたアクセサリデバイス（１）を新規の電気プラントに関連付けるための１つまたは複数のグラフィックオブジェクト（１５２、１５３）を含むことを特徴とする、請求項１から８のいずれか一項に記載のコンピュータ化システム。
【請求項１０】
前記構成方法（ＣＦＰ）が、前記グラフィックユーザインターフェース（５００）上にログイン構成ページ（１９０）を提示して、ユーザが、前記構成方法を実行するためのログイン情報を提供するのを助けるステップを含むことを特徴とする、請求項１から９のいずれか一項に記載のコンピュータ化システム。
【請求項１１】
前記構成方法（ＣＦＰ）が、前記グラフィックユーザインターフェース（５００）上に第７のグラフィックリソース（１７）を提示して、ユーザがＥＵＬＡに署名するのを助けるステップを含むことを特徴とする、請求項１から１０のいずれか一項に記載のコンピュータ化システム。
【請求項１２】
少なくとも１つのアクセサリデバイス（１）の構成方法（ＣＦＰ）であって、前記少なくとも１つのアクセサリデバイスが電力配電網（２５０）の電子式保護リレー（２）に動作可能に結合され、またはその中に備えられ、前記少なくとも１つのアクセサリデバイスが、前記電力配電網（２５０）の稼働に関連する網データ（Ｄ）を、前記電子式保護リレーの、または前記電子式保護リレーに動作可能に接続された、前記少なくとも１つのアクセサリデバイスと通信する１つまたは複数の電子デバイス（２１、２２、２３、２４、２Ａ、２Ｂ、２Ｃ、２Ｄ）からインターネットを介して収集し送信するように構成される、構成方法（ＣＦＰ）方法において、以下のステップ、すなわち、
−  コンピュータ表示装置（５２）上に、ユーザにより活動化可能なグラフィックリソース（１９０、１１、１２、１３、１４、１５、１６、１７、１８）を含むグラフィックユーザインターフェース（５００）を提示するステップと、
−  前記グラフィックユーザインターフェース（５００）上に第１のグラフィックリソース（１１）を提示して、ユーザが、１つまたは複数の構成可能アクセサリデバイスの構成を実行するために必要な所与の動作条件があるかどうかを確かめるのを助けるステップと、
−  前記グラフィックインターフェース（５００）上に第２のグラフィックリソース（１２）を提示して、ユーザが、前記構成可能アクセサリデバイス（１）との通信リンクを確立するための探索を起動するのを助けるステップと、
−  前記第２のグラフィックリソースの活動化に応じて、前記構成可能アクセサリデバイス（１）のインターネットを介する探索を行うステップと、
−  前記グラフィックユーザインターフェース（５００）上に第３のグラフィックリソース（１３）を提示して、ユーザが前記１つまたは複数の構成可能アクセサリデバイスの中からアクセサリデバイス（１）を選択するのを助け、また選択されたアクセサリデバイスにアクセスするためのセキュリティアクセスコードを提供するのを助けるステップであって、前記セキュリティアクセスコードが、前記選択されたアクセサリデバイスから手動で取得可能である、ステップと、
−  前記セキュリティアクセスコードの入力に応じて、前記選択されたアクセサリデバイス（１）との通信リンクを活動化するステップと、
−  前記グラフィックユーザインターフェース（５００）上に第４のグラフィックリソース（１４）を提示して、ユーザが、前記選択されたアクセサリデバイスを構成するための第１の構成情報（ＣＦ１）を提供するのを助けるステップと、
−  前記グラフィックユーザインターフェース（５００）上に第５のグラフィックリソース（１５）を提示して、ユーザが、前記選択されたアクセサリデバイスを電気プラントに関連付けるための第２の構成情報（ＣＦ２）を提供するのを助けるステップと、
−  前記グラフィックユーザインターフェース（５００）上に第６のグラフィックリソース（１６）を提示して、ユーザが前記選択されたアクセサリデバイスの構成プロセスを起動するのを助けるステップと、
−  前記第６のグラフィックリソースの活動化に応じて、前記構成プロセスを実行するステップであって、前記構成プロセスが以下のステップ、すなわち、
−  前記第１および第２の構成情報（ＣＦ１、ＣＦ２）に基づいて、前記選択されたアクセサリデバイス（１）用のデータ収集ファイル（ＤＧＦ）およびデータ発行ファイル（ＤＰＦ）を生成するステップ、
−  前記データ収集ファイル（ＤＧＦ）および前記データ発行ファイル（ＤＰＦ）を前記選択されたアクセサリデバイスへ送信するステップ、ならびに
−  前記第１および第２の構成情報（ＣＦ１、ＣＦ２）を、前記少なくとも１つのアクセサリデバイスと通信および対話ができるコンピュータ化プラットフォーム（３４０）へインターネットを介して送信するステップを含む、前記構成プロセスを実行するステップと
を含むことを特徴とする、構成方法（ＣＦＰ）。
【請求項１３】
記憶媒体に記憶されたまたは記憶可能なコンピュータプログラムであって、コンピュータ化構成デバイス（５０）によって実行されるときに、請求項１２に記載の構成方法（ＣＦＰ）を実施するように構成されたソフトウェア命令を含むことを特徴とするコンピュータプログラム。
【請求項１４】
請求項１２に記載の構成方法（ＣＦＰ）を実施するためのソフトウェア命令を実行するように構成されることを特徴とする、コンピュータ化構成ユニット（５０）。
【発明の詳細な説明】
【技術分野】
【０００１】
本発明は電力配電網の分野に関する。より詳細には、本発明は、好ましくは低電圧レベルで動作する電力配電網の稼働を遠隔管理するためのコンピュータ化システムに関する。
【０００２】
別の態様では、本発明は、前記コンピュータ化システムにおいて実施される構成方法に関する。
【背景技術】
【０００３】
本出願の目的では、「低電圧」（ＬＶ）という用語は交流１ｋＶ未満および直流１．５ｋＶ未満の動作電圧に関する。
【０００４】
知られているように、低電圧開閉装置設備は、電力配電網の特定の部分が適切に稼働できるように設計された開閉デバイス（たとえば、サーキットブレーカ、断路器、接触器、等）を備える。通常、上述の開閉デバイスは、電子式保護制御デバイス（「保護リレー」としても知られている）に動作可能に連結されており、このデバイスは、適切なセンサによって開閉装置の動作状況を確かめるように、また万一の障害または過負荷の場合に、連結された開閉デバイスの介入を促すための適切な命令を生成するように、適合されている。上記の保護および制御の目的に役立つことに加えて、保護リレーは、それが組み込まれている電力配電網の開閉装置または他の部分の動作状況に関するデータセットを収集および提供することができる。
【発明の概要】
【０００５】
電力配電網の稼働状況を管理するために現在利用可能な装置は、複雑かつ高価であると共に、保護リレーによって収集されたデータを十分に活用して顧客に先進的な監視サービスを提供することを実際上可能にしていない。上記の欠点を解決するために、電力配電網の稼働状況を遠隔管理するためのコンピュータ化システムが最近提案されている。これらのコンピュータ化システムの一例が、同じ出願人の名前で特許出願ＥＰ１６１６５２５４に記載されている。しかし、たとえこれらのシステムにより関連の利点が得られたとしても、このようなコンピュータ化システムは、ユーザが簡単に構成できるようにするために、なお改善されなければならない。
【０００６】
このニーズに応えるために、本発明は、添付の特許請求項１および関連する従属請求項による、電力配電網の稼働を管理するためのコンピュータ化システムを提供する。別の態様では、本発明は、請求項１２および関連する従属請求項による構成方法に関する。
【０００７】
本発明の特徴および利点は、本発明によるコンピュータ化システムの好ましいが排他的ではない、添付の図面にその非限定的な例が示されている実施形態についての説明からより明らかになろう。
【図面の簡単な説明】
【０００８】
【図１】本発明によるコンピュータ化システムを示す概略図である。
【図２】本発明によるコンピュータ化システムを示す概略図である。
【図３】本発明によりＬＶ開閉デバイスに動作可能に連結される、コンピュータ化システムに含まれるアクセサリデバイスを示す概略図である。
【図３Ａ】本発明によるコンピュータ化システムを示す概略図である。
【図４】本発明による、コンピュータ化システムに含まれるコンピュータ化構成ユニットによって実施される構成方法を示す概略図である。
【図５】本発明による、コンピュータ化システムに含まれるコンピュータ化構成ユニットによって実施される構成方法を示す概略図である。
【図６】本発明による、コンピュータ化システムに含まれるコンピュータ化構成ユニットによって実施される構成方法を示す概略図である。
【図７】本発明による、コンピュータ化システムに含まれるコンピュータ化構成ユニットによって実施される構成方法を示す概略図である。
【図８】本発明による、コンピュータ化システムに含まれるコンピュータ化構成ユニットによって実施される構成方法を示す概略図である。
【図９】本発明による、コンピュータ化システムに含まれるコンピュータ化構成ユニットによって実施される構成方法を示す概略図である。
【図１０】本発明による、コンピュータ化システムに含まれるコンピュータ化構成ユニットによって実施される構成方法を示す概略図である。
【図１１】本発明による、コンピュータ化システムに含まれるコンピュータ化構成ユニットによって実施される構成方法を示す概略図である。
【図１２】本発明による、コンピュータ化システムに含まれるコンピュータ化構成ユニットによって実施される構成方法を示す概略図である。
【図１３】本発明による、コンピュータ化システムに含まれるコンピュータ化構成ユニットによって実施される構成方法を示す概略図である。
【図１４】本発明による、コンピュータ化システムに含まれるコンピュータ化構成ユニットによって実施される構成方法を示す概略図である。
【発明を実施するための形態】
【０００９】
上記の図に関係して、本発明は、好ましくは低電圧レベルで動作する電力配電網２５０の稼働を遠隔管理するためのコンピュータ化システム１００に関係する。
【００１０】
電力配電網２５０は、１つまたは複数の保護リレー２を備える。各保護リレー２は、電力配電網２５０の開閉デバイス２０（たとえば、サーキットブレーカ、断路器、接触器、等）に動作可能に連結することができる。たとえば、保護リレー２は、連結された開閉デバイス２０と共に取り付けることができる（図３に示されるように）。電子式保護リレー２および、場合により、連結された開閉デバイス２０は、好ましくは電力配電網２５０の開閉装置２００に含まれる。開閉装置２００はさらに、電気開閉デバイス（図示せず）および別の保護リレー２Ａ、２Ｂを含むことができる。電力配電網２５０はさらに、電気開閉デバイス（図示せず）、開閉装置２００外の別の電子式保護デバイス２Ｃ、または開閉装置２００外の他の汎用電子デバイス２Ｄ（たとえば、温度または湿度センサ、水またはガス計量器、等）を含むことができる。
【００１１】
明らかに、電力配電網２５０および開閉装置２００は、上記のものとは異なるタイプの電子デバイスを含むこともできる。好ましくは、各電子式保護リレー２は、既知のタイプのものでよい保護制御ユニット２１を備える。制御ユニット２１は、電力配電網２５０の稼働状況に関するデータを取得し、この後者の稼働状況を確かめるように、また万一の異常な状況の場合、たとえば障害または過負荷の場合に、連結された開閉デバイス２０の介入を促すための適切な命令を与えるように、構成される。好ましくは、保護リレー２は、既知のタイプでよい１つまたは複数の別のアクセサリデバイス２２、２３、２４を備えるか、またはそれに動作可能に結合される。
【００１２】
アクセサリデバイス２２、２３、２４には、たとえば、保護制御ユニット２１の機能を強化／拡張するように設計された電子デバイス（たとえば、アクセサリデバイス２３）、外部通信バスに対するインターフェースを提供するように構成された電子デバイス（たとえば、アクセサリデバイス２２、２４）、保護制御ユニット２１用の補助インターフェースを提供するための電子デバイス（表示装置またはＬＥＤインターフェースなど）、等が含まれ得る。
【００１３】
好ましくは、保護リレー２は、保護制御ユニット２１と電子式保護リレーの他の電子デバイス２２、２３、２４との間に通信チャネルを提供するように設計された第１の通信バス２５（本明細書では「ローカルバス」とも呼ばれる）を備える。好ましくは、ローカルバス２５は、「マルチマスタ」型の通信様式を使用して、ＣＡＮまたはＥＴＨＥＲＮＥＴなどのＦＩＥＬＤＢＵＳ型の通信プロトコルを実施する。
【００１４】
好ましくは、保護リレー２は、保護制御ユニット２１と別の電子式保護リレーとの間の通信チャネルを提供するように設計されている、電力配電網２５０の第２の通信バス２７（本明細書では「システムバス」とも呼ばれる）を介して、配電盤２００の内部または外部に位置する別のいくつかの電子式保護デバイス２Ａ、２Ｃと通信することができる。好ましくは、システムバス２７は、「マスタースレーブ」型の通信様式を使用して、ＭＯＤＢＵＳ、ＰＲＯＦＩＢＵＳ、ＰＲＯＦＩＮＥＴまたはＭＯＤＢＵＳ−ＴＣＰ型の通信プロトコルを実施する。好ましくは、保護リレー２は、開閉装置２００の別のいくつかの電子式保護デバイス２Ｂと、開閉装置の第３の通信バス２６（本明細書では「配電盤バス」とも呼ばれる）を介して通信することができ、この第３の通信バスは、保護制御ユニット２１と開閉装置２００の別の電子式保護リレーとの間の専用通信チャネルを提供するように設計されている。好ましくは、配電盤バス２６は、「マルチマスタ」型の通信様式を使用して、ＣＡＮまたはＥＴＨＥＲＮＥＴなどのＦＩＥＬＤＢＵＳ型の通信プロトコルを実施する。
【００１５】
本発明によれば、コンピュータ化システム１００は、電力配電網２５０の対応する電子式保護リレー２に動作可能に結合された、またはその中に備えられたアクセサリデバイス１を少なくとも備える。
【００１６】
いくつかの実施形態（図３〜図４）では、アクセサリデバイス１は、対応する電子式保護リレー２と共に開閉デバイス２０上に取り外し可能に取り付けられるように適合される。しかし、電子式保護リレー２の実現のされ方によっては、他の解決法も実行可能である。一例として（図示せず）、アクセサリデバイス１は、電子式保護リレー２の外部ケース上に取り外し可能に取り付けることが、電子式保護リレー２が自立型ユニットである場合には可能である。別の例として（図示せず）、アクセサリデバイス１は、電子式保護リレー２の中に組み込まれた内部電子モジュールとすることができる。
【００１７】
図３に示された実施形態によれば、アクセサリデバイス１は、好ましくは絶縁材料からなる外側ハウジング１４を備える。好ましくは、アクセサリデバイス１は、開閉デバイス２０上に取り付け可能であり、また保護リレー２の構成要素と接続可能である。アクセサリデバイス１は、電力配電網２５０の稼働に関する網データＤを収集するように、またインターネットを介して前記網データを送信するように構成される。網データＤは、電力配電網２５０の稼働に関する情報、たとえば、電力配電網２５０内に含まれるあらゆるデバイスまたは構成要素と関係があり得る、測定された電気的量、設定パラメータ、制御変数、等に関するデータを含み得る。アクセサリデバイス１は網データＤを、前記アクセサリデバイスと通信する前記電力配電網の１つまたは複数の電子デバイス２１、２２、２３、２４、２Ａ、２Ｂ、２Ｃ、２Ｄから収集するように構成される。好ましくは、アクセサリデバイス１は、電子式保護リレー２に含まれる、または動作可能に接続される電子デバイス、たとえば、保護制御ユニット２１、アクセサリデバイス２２、２３、２４または電子式保護リレー２Ａ、２Ｂ、２Ｃ、との通信に適している第１の通信ポート１Ａを少なくとも備える。
【００１８】
情報は、ローカルバス２５を介して、また場合により配電盤バス２６およびシステムバス２７を介して送信することができる（この場合、アクセサリデバイス２２、２４をゲートウェイとして使用して）。一例として、通信ポート１Ａは、ＣＡＮまたはＥＴＨＥＲＮＥＴポートとすることができる。好ましくは、アクセサリデバイス１は、インターネットを介して１つまたは複数の遠隔のコンピュータ化ユニット３０、４０、５０と通信するのに適している第２の通信ポート１Ｂを少なくとも備える。
【００１９】
情報は、適切な通信ケーブル（たとえばＥＴＨＥＲＮＥＴ型）、または適切なアンテナ構成（たとえばＷｉ−Ｆｉ型）によって、インターネットラインチャネルを介して送信され得る。一例として、通信ポート１Ｂは、インターネットプロトコルスイートに適しているＴＣＰまたはＵＤＰポートプロトコルとすることができる。
【００２０】
好ましくは、アクセサリデバイス１は、その動作を管理するように構成された第１の処理手段１Ｃを備える。一例として、処理手段１Ｃは、１つまたは複数の処理デバイス、たとえば、マイクロプロセッサ、前記処理デバイスに動作可能に結合された１つまたは複数のメモリ、および前記メモリ内に記憶され前記処理デバイスによって実行可能なソフトウェア、を備え得る。第１の処理手段１Ｃ、具体的にはその処理デバイスは、第１および第２の通信ポート１Ａ、１Ｂに動作可能に結合される。
【００２１】
一般に、アクセサリデバイス１は、保護制御ユニット２１と通信すること、電子式保護リレー２の１つまたは複数の別のアクセサリデバイス２２、２３、２４と通信すること（ローカルバス２５を介して）、電子式保護リレー２と（通信バス２５、２６、２７およびアクセサリデバイス２２、２４を介して）通信する１つまたは複数の別の電子デバイス２Ａ、２Ｂ、２Ｃ、２Ｄと通信すること、および１つまたは複数の遠隔のコンピュータ化ユニット３０、４０、５０と（インターネットを介して）通信することができる。図２〜図３に示された例示的な実施形態では、アクセサリデバイス１は、アクセサリモジュール２３からデータを直接収集しないが、アクセサリデバイス２３に関するデータを、このアクセサリデバイス２３とローカルバス２５を介して通信する保護制御ユニット２１から収集する。
【００２２】
図２〜図３に示された例示的な実施形態では、アクセサリデバイス１は、データを電子デバイス２Ａ、２Ｂ、２Ｃ、２Ｄから、通信バス２５、２６、２７およびアクセサリデバイス２２、２４を介して収集する。これらアクセサリデバイスは、好ましくは通信インターフェースとして動作し、したがって、アクセサリデバイス１には機能上は見えない。当然ながら、アクセサリデバイス１との間を行き来するデータフローの他の構成が、必要に応じて実現可能である。
【００２３】
図３Ａに示された別の実施形態によれば、電子デバイス２Ａ、２Ｂ、２Ｃ、２Ｄがアクセサリデバイス１の通信ポート１Ａと通信ができるのに対し、アクセサリデバイス１に動作可能に連結される電子式保護リレー２の保護制御ユニット２１は、アクセサリデバイス１の通信ポート１Ｂと通信することができる（たとえば、適切な通信スイッチ２Ｅを介して）。いずれの場合でも、アクセサリデバイス１が、それに動作可能に連結されている電子式保護リレー２を、専用の通信バス（たとえば、システムバス２７など）を使用または配置する必要なしにインターネットに直接接続できることに注目することは重要である。実際には、アクセサリデバイス１は、網データＤを電力配電網２５０のレベルにおいて収集して前記網データをインターネット経由で送信できるインターネットゲートウェイとして動作することができ、それにより、前記網データは遠隔レベルにおいて（たとえば、クラウドコンピューティングレベルにおいて）処理することができる。
【００２４】
本発明によれば、コンピュータ化システム１００は、インターネットを介してアクセサリデバイス１と通信および対話ができるコンピュータ化プラットフォーム３４０を備える。好ましくは、コンピュータ化プラットフォーム３４０は、インターネットを介してアクセサリデバイス１と通信ができるコンピュータ化発行ユニット３０を少なくとも備える。コンピュータ化発行ユニット３０は、アクセサリデバイス１と対話して網データＤを取得し記憶するように構成される。好ましくは、コンピュータ化発行ユニット３０は、その動作を管理するように構成された第２の処理手段３１を備える。一例として、処理手段３１は、１つまたは複数の処理デバイス、たとえば、マイクロプロセッサ、前記処理デバイスに動作可能に結合された１つまたは複数のメモリ、および前記メモリ内に記憶され前記処理デバイスによって実行可能なソフトウェアを備え得る。コンピュータ化発行ユニット３０は、単一のコンピュータ化ユニットから構成すること、あるいは、インターネットに接続可能であり、たとえばクラウド計算アーキテクチャを実施するために互いに対話する、いくつかのコンピュータ化ユニットから構成することができる。一例として、コンピュータ化発行ユニット３０は、「サーバ」型機能、たとえばＷｉｎｄｏｗｓ  Ｓｅｒｖｅｒ（登録商標）、Ｗｉｎｄｏｗｓ  Ａｚｕｒｅ（登録商標）、Ｍａｃ  ＯＳ  Ｓｅｒｖｅｒ（登録商標）等が付いたデバイス用のオペレーティングシステムを備えたコンピュータユニットでよい。
【００２５】
好ましくは、コンピュータプラットフォーム３４０もまた、インターネットを介してアクセサリデバイス１およびコンピュータ化発行ユニット３０と通信ができるコンピュータ化インターフェースユニット４０を備える。コンピュータ化インターフェースユニット４０は、コンピュータ化発行ユニット３０とのアクセサリデバイス１の対話を管理するためのインターフェースサービスを行うように構成される。コンピュータ化インターフェースユニット４０の基本的なタスクは、アクセサリデバイス１とコンピュータ化発行ユニット３０の間の対話を、たとえば、アクセサリデバイス１の動作をコンピュータ化発行ユニット３０のあり得る構成変化に非常に柔軟に適合させることによって容易にすることにある。一例として、コンピュータ化インターフェースユニット４０は、コンピュータ化発行ユニット３０および／またはアクセサリデバイス１にフォーマット変換サービスを提供するように構成することができ、それによりアクセサリデバイス１は、送信フォーマットが同じデータを送信することができ、そのファームウェアをコンピュータ化発行ユニットの変更の場合に更新する必要がない。
【００２６】
好ましくは、コンピュータ化インターフェースユニット４０は、その動作を管理するように構成された第３の処理手段４１を備える。一例として、処理手段４１は、１つまたは複数の処理デバイス、たとえばマイクロプロセッサと、前記処理デバイスに動作可能に結合された１つまたは複数のメモリと、前記メモリに記憶された、前記処理デバイスによって実行可能なソフトウェアとを備え得る。コンピュータ化インターフェースユニット４０は、単一のコンピュータ化ユニットから構成すること、あるいは、インターネットに接続可能であり、たとえばクラウド計算アーキテクチャを実施するために互いに対話する、いくつかのコンピュータ化ユニットから構成することができる。一例として、コンピュータ化インターフェースユニット４０は、「サーバ」型機能、たとえばＷｉｎｄｏｗｓ  Ｓｅｒｖｅｒ（登録商標）、Ｗｉｎｄｏｗｓ  Ａｚｕｒｅ（登録商標）、Ｍａｃ  ＯＳ  Ｓｅｒｖｅｒ（登録商標）等が付いたデバイス用のオペレーティングシステムを備えたコンピュータユニットでよい。
【００２７】
好ましくは、アクセサリデバイス１は、１つまたは複数の電子デバイス２１、２Ａ、２Ｂ、２Ｃ、２Ｄをアクセサリデバイス１がポーリングするデータ収集タスクを実行するように構成され、これら電子デバイスは前記アクセサリデバイスと通信し、そのようなポーリング活動に応じて前記電子デバイスから網データＤを受け取る。
【００２８】
好ましくは、前記データ収集タスクは、アクセサリデバイス１がその中に、たとえば処理手段１Ｃの固定記憶場所に記憶したデータ収集ファイルＤＧＦに含まれる情報に基づいて実行される。データ収集ファイルＤＧＦは、有利なことに、アクセサリデバイス１が対象の電子デバイス２１、２Ａ、２Ｂ、２Ｃ、２Ｄと正しく対話し、網データＤを正しく取得し記憶できるようにする情報を含む。一例として、データ収集ファイルＤＧＦは、ポーリングされるべき電子デバイス２１、２Ａ、２Ｂ、２Ｃ、２Ｄ、前記電子デバイスの通信アドレス、前記電子デバイスと通信するための通信バス２５、２６、２７、集める網データＤのタイプ、等についての情報を含み得る。
【００２９】
有利なことに、アクセサリデバイス１は、データ収集タスクの間は「マスター」デバイスとして動作するように構成され、すなわち、いつでも、データ収集ファイルＤＧＦに記憶されたタイミング情報に明確に従って、対象のスレーブデバイス（たとえば、電子デバイス２１、２Ａ、２Ｂ、２Ｃ、２Ｄのうちの１つ）と通信するための主導権を取ることができる。マスターデバイスとして活動することによってアクセサリデバイス１は、たとえば、可能なときにデータをオーバサンプリングすることによって、または収集されるべきデータの種類に対してデータ収集方策を適正に調整することによって、データ収集タスクの実行を多くの視点から最適化することができる（たとえば、測定データは継続的な更新を必要とするのに対し、構成データはほとんど変化しないのでサンプリング頻度を少なくすることができる）。
【００３０】
好ましくは、アクセサリデバイス１は、記憶された網データＤをアクセサリデバイス１がコンピュータ化プラットフォーム３４０へ、具体的には、前記アクセサリデバイスとその第２の通信ポート１Ｂを介して（言い換えるとインターネットを介して）通信する遠隔のコンピュータ化発行ユニット３０へ送信するデータ発行タスクを実行するように構成される。好ましくは、アクセサリデバイス１は、上記のデータ発行タスクを、処理手段１Ｃの固定記憶場所において覚えておくことができるデータ収集ファイルＤＧＦおよび記憶されたデータ発行ファイルＤＰＦに含まれる情報に基づいて実行するように構成される。
【００３１】
データ発行ファイルＤＰＦは、有利なことに、アクセサリデバイス１がインターネットを介してコンピュータ化発行ユニット３０と正しく対話し、網データＤをこのコンピュータ化発行ユニット３０へ正しく送信できるようにする情報を含む。一例として、データ発行ファイルＤＰＦは、コンピュータ化ユニット３０の通信アドレスについての情報、コンピュータ化発行ユニット３０と安全に対話するためのデジタル証明書についての情報、等を含み得る。
【００３２】
有利なことに、アクセサリデバイス１は、データ発行タスクの間は「クライアント」デバイスとして動作するように構成され、すなわち、要求されたときのみ、またはデータ収集ファイルＤＧＦに記憶されたタイミング情報に従って、コンピュータ化発行ユニット３０と通信するための主導権を取ることができる。これにより、アクセサリデバイス１のインターネット接続の脆弱性を低減することが可能になる。
【００３３】
本発明の一態様によれば、コンピュータ化プラットフォーム１００は、インターネットを介してアクセサリデバイス１と通信ができるコンピュータ化構成ユニット５０を少なくとも備える。以下から明らかになるように、コンピュータ化構成ユニット５０はまた、インターネットを介してコンピュータ化プラットフォーム３４０と通信することもできる。コンピュータ化構成ユニット５０は、アクセサリデバイス１の動作可能な構成を管理するように、より具体的には構成方法ＣＦＰを実施してアクセサリデバイス１を構成するように、適合される。
【００３４】
当業者には知られているように、電子デバイス（この場合にはアクセサリデバイス１）を「構成すること」とは、前記電子デバイスによって使用される１セットの動作パラメータを設定して、その機能を利用することである。前記動作パラメータとは、前記電子デバイス自体によって記憶および処理することができる適切な数値または論理値（構成値）であり得る。
【００３５】
コンピュータ化ユニット５０は、その動作を管理するように構成された第４の処理手段５１を備え得る。一例として、処理手段５１は、１つまたは複数の処理デバイス、たとえばマイクロプロセッサと、前記処理デバイスに動作可能に結合された１つまたは複数のメモリと、前記メモリに記憶された、前記処理デバイスによって実行可能なソフトウェアとを備え得る。
【００３６】
コンピュータ化ユニット５０は、単一のコンピュータ化ユニットから構成されてよく、あるいは、インターネットに接続可能であり、たとえばクラウド計算アーキテクチャを実施するために互いに対話するいくつかのコンピュータ化ユニットから構成されてよい。一例として、コンピュータ化構成ユニット５０は、ラップトップコンピュータ、タブレット、スマートフォン等でよい。コンピュータ化ユニット５０は、前記構成方法ＣＦＰを実施するためのソフトウェア命令を実行できる処理ユニット５１（たとえば、１つまたは複数のマイクロプロセッサを含む）を備える。コンピュータ化ユニット５０は、前記ソフトウェア命令が永続的に保管される記憶メモリを備える。代替形態として、コンピュータ化ユニット５０は、別のメモリ支持体と動作可能に結合することができ、このメモリ支持体から、処理ユニット５１によって実行するために前記ソフトウェア命令をアップロードすることができる。コンピュータ化ユニット５０は、処理ユニット５１によって駆動される表示装置５２を備えるか、またはそれに動作可能に連結される。好都合なことに、コンピュータ化ユニット５０は、アクセサリデバイス１およびコンピュータ化プラットフォーム３４０と通信するためのインターネット通信機能を有する。この目的のために、コンピュータ化ユニット５０は、処理ユニット５１によって駆動される１つまたは複数の通信ポートを装備する。
【００３７】
構成方法ＣＦＰの１ステップでは、コンピュータ化ユニット５０は、グラフィックユーザインターフェース５００をコンピュータ表示装置５２上に提示する（図４）。グラフィックユーザインターフェース（ＧＵＩ）５００とは、ユーザがコンピュータ化ユニット５０によってアクセサリデバイス１を構成するのを助けるためのビジュアルグラフィックリソース１９０、１１、１２、１３、１４、１５、１６、１７、１８（たとえば、グラフィックアイコン、グラフィックウインドウ、グラフィックカーソル、ビジュアルインジケータ、ビジュアルメニュー、等）を含むビジュアルグラフィック環境のことである。
【００３８】
一般に、グラフィックリソース１９０、１１、１２、１３、１４、１５、１６、１７、１８は、ユーザがコンピュータ化ユニット５０への入力において特定の命令または情報を提供して、アクセサリデバイス１を構成するための対応するアクションをコンピュータ化ユニット５０に実行させる助けになるように利用可能にされる。好都合なことに、グラフィックリソース１９０、１１、１２、１３、１４、１５、１６、１７、１８は、コンピュータ化ユニットに通常採用されている既知の活動化モードに従って、たとえば、マウスポインタによって前記グラフィックリソースをクリックすることによって（たとえば、表示装置５２がコンピュータモニタまたはラップトップ表示装置であるとき）、または表示装置５２の対応する対話型領域に触れることによって（たとえば、表示装置５２がタッチスクリーン表示装置であるとき）、活動化可能になる。
【００３９】
情報は、ユーザが、コンピュータ化ユニットに通常採用されている既知の入力モードに従って、たとえば、専用のグラフィックオブジェクト（グラフィックカーソル、グラフィックアイコン等）をタイプまたは活動化することによって、入力することができる。
【００４０】
好ましくは、ＧＵＩ５００は、グラフィックリソース１９０、１１、１２、１３、１４、１５、１６、１７が利用可能になる１つまたは複数の構成ページを含む。好ましくは、ＧＵＩ５００は、ユーザが様々な構成ページを自在に移動できるように、または前記構成ページを記憶メモリ５３に保管、もしくはそこからアップロードできるように、各構成ページに補助グラフィックリソース１８（たとえば、グラフィックボタンまたはバー）を含む。
【００４１】
好ましくは、コンピュータ化ユニット５０は、ＧＵＩ５００上に最初にログイン構成ページ１９０を提示して、ユーザがログイン情報（たとえば、ユーザの識別情報に関するデータ）を提供するのを助ける。好ましくは、構成ページ１９０は、前記ログイン情報を入れるために、１つまたは複数のグラフィックオブジェクト１９０Ａ（たとえば、グラフィックマスク）を含む（図５）。
【００４２】
構成方法ＣＦＰの別のステップでは、コンピュータ化ユニット５０は、ＧＵＩ５００上に第１のグラフィックリソース１１を提示して（好ましくは、その１つまたは複数の専用構成ページ１１０）、ユーザが、１つまたは複数の構成可能アクセサリデバイス１の構成を実行するために要求されるいくつかの必要な動作条件があるかどうかを確かめるのを助ける（図６）。第１のグラフィックリソース１１は、所定の動作条件がアクセサリデバイス１に対して満たされていることをユーザが確かめ確認するのを助けることが目的になる。好ましくは、第１のグラフィックリソース１１は、ユーザが、１つまたは複数の構成可能アクセサリデバイス１の接続性状況を確かめるのを案内するために、１つまたは複数のグラフィックオブジェクト１１１（たとえば、履行されるべき、またはチェックマークが付けられるべきチェックリスト、またはグラフィックセクションもしくはグラフィックページ）を含む。
【００４３】
好都合なことに、グラフィックオブジェクト１１１は、構成可能アクセサリデバイス１と、それに接続された電子デバイス２１、２Ａ、２Ｂ、２Ｃ、２Ｄとがすべて、インターネットにアクセスできるＬＡＮ内で物理的に接続されていることをユーザが確かめるのを助けるように配置することができる。好都合なことに、グラフィックオブジェクト１１１は、構成可能アクセサリデバイス１が、それに接続された電子デバイス２１、２Ａ、２Ｂ、２Ｃ、２Ｄから収集された網データＤを提供できるようになっていることをユーザが確かめるのを助けるように配置することができる。好都合なことに、グラフィックオブジェクト１１１は、セキュリティアクセスコードが対象の構成可能アクセサリデバイス１から得られていることをユーザが確かめるのを助けるように配置することができる。このようなセキュリティアクセスコードは、対象の構成可能アクセサリデバイス１にユーザが物理的にアクセスすることによって、たとえば、前記構成可能アクセサリデバイスが動作可能に連結されている保護リレーのＨＭＩと対話することによって、得ることができる。
【００４４】
好ましくは、第１のグラフィックリソース１１は、ユーザが予備構成データを構成可能アクセサリデバイス１に提供するのを助けるための１つまたは複数のグラフィックオブジェクト１１２（たとえば、グラフィックマスク）を含む。好都合なことに、グラフィックオブジェクト１１２は、すべての構成可能アクセサリデバイス１が識別タグでタグ付けされている、または時間、日付等のような他の情報を提供することをユーザが確かめるのを助けるように配置することができる。
【００４５】
構成方法ＣＦＰの別のステップでは、コンピュータ化ユニット５０は、ＧＵＩ  ５００上に第２のグラフィックリソース１２を提示して（好ましくは、その１つまたは複数の専用構成ページ１２０）、ユーザが、構成可能アクセサリデバイス１との通信リンクを確立するための探索を起動するのを助ける（図７、図８）。好ましくは、第２のグラフィックリソース１２は、自動探索（スニフ探索）を起動して構成可能アクセサリデバイス１との通信リンクを確立するための１つまたは複数のグラフィックオブジェクト１２１（たとえば、探索を開始するように活動化するための開始グラフィックボタン）を含む。好都合なことに、グラフィックオブジェクト１２１により、アドレスまたは他の探索パラメータを指定しなくても、ユーザが、構成可能アクセサリデバイス１のインターネットを介した探索を起動できるようになる。好ましくは、第２のグラフィックリソース１２は、手動探索を起動して構成可能アクセサリデバイス１との通信リンクを確立するための１つまたは複数のグラフィックオブジェクト１２２を含む。グラフィックオブジェクト１２２は、構成可能アクセサリデバイス１に関連する所与の通信パラメータ（たとえば、ＩＰアドレス）をユーザが提供するのを助けるためのグラフィックマスク、および探索を開始するように活動化するための開始グラフィックボタンを含み得る。好都合なことに、グラフィックオブジェクト１２２により、選択された数のアクセサリデバイスだけを求めて、および／または自動探索では探索できないアクセサリデバイスを求めて、ユーザがインターネットを介した構成可能アクセサリデバイス１の探索を起動できるようになる。
【００４６】
構成方法ＣＦＰの別のステップでは、コンピュータ化ユニット５０は、第２のグラフィックリソース１２の活動化に応じて、構成可能アクセサリデバイス１との通信リンクを確立するための探索を実行する。構成方法ＣＦＰのこのステップでは、ユーザによって活動化される第２のグラフィックリソース１２のタイプ（グラフィックオブジェクト１２１または１２２）に応じて、コンピュータ化ユニット５０は、（インターネットを介して）あり得る構成可能アクセサリデバイス１の自動探索を実行し、あるいは、グラフィックオブジェクト１２２によってユーザから提供された情報に従って「手動の」（より限定された）探索を実行する。
【００４７】
構成方法ＣＦＰの別のステップでは、コンピュータ化ユニット５０は、ＧＵＩ  ５００上に第３のグラフィックリソース１３を提示して（好ましくは、その１つまたは複数の専用構成ページ１３０）、ユーザが、以前の構成ステップにおいて探索され見つけられた１つまたは複数の構成可能アクセサリデバイスの中からアクセサリデバイス１を選択するのを助け、また選択された対象のアクセサリデバイス１にアクセスするためのセキュリティアクセスコードを提供するのを助ける（図９）。前記セキュリティアクセスコードは、対象のアクセサリデバイス１に保管され、また上記のように、対象の構成可能アクセサリデバイス１に物理的にアクセスすることによってユーザが得ることができる。本発明者らは、この解決法がサイバーセキュリティの面で妥当な利点をもたらすことを見出した。
【００４８】
好ましくは、第３のグラフィックリソース１３は、コンピュータ化ユニット５０と通信する構成可能アクセサリデバイス１のリストを作成するために、１つまたは複数のグラフィックオブジェクト１３１（たとえば、１つまたは複数のグラフィックセクションもしくはグラフィックアイコン）を含む。好都合なことに、ユーザは、対象の構成可能アクセサリデバイス１（たとえば、図９のアクセサリデバイスＡＤ１）を構成可能アクセサリデバイスのリストの中で選択することができる。対応するグラフィックアイコン１３１を活動化することによって、選択コマンドがコンピュータ化ユニット５０へ送出されて、選択されたアクセサリデバイスとの安定した通信チャネルが開く。好ましくは、第３のグラフィックリソース１３は、コンピュータ化ユニット５０への入力中に前記セキュリティアクセスコードを提供するために、１つまたは複数のグラフィックオブジェクト１３２（たとえば、グラフィックマスク）を含む。正しいセキュリティアクセスコードを提供することによって、対象の選択された構成可能アクセサリデバイスにアクセスすることが可能になる。
【００４９】
構成方法ＣＦＰの別のステップでは、コンピュータ化ユニット５０は、正しいセキュリティアクセスコードの入力に応じて、またグラフィックオブジェクト１３１を介してユーザから提供された選択情報に基づいて、選択されたアクセサリデバイス１との通信チャネルを活動化する。こうして、コンピュータ化ユニット５０は、構成データを選択されたアクセサリデバイス１とインターネットを介して交換することができる。
【００５０】
構成方法ＣＦＰの別のステップでは、コンピュータ化ユニット５０は、ＧＵＩ  ５００上に第４のグラフィックリソース１４を提示して（好ましくは、その１つまたは複数の専用構成ページ１４０）、ユーザが、構成方法の以前のステップで選択された対象の構成可能アクセサリデバイス１を構成するための第１の構成情報ＣＦ１を提供するのを助ける（図１０）。好都合なことに、構成情報ＣＦ１は、選択されたアクセサリデバイス１の動作パラメータを設定するように定められた構成値の１つまたは複数のセットを含む。グラフィックリソース１４は、ユーザが構成情報ＣＦ１を提供するのを助けるために、１つまたは複数のグラフィックオブジェクト１４１Ａ（たとえば、グラフィックマスク、および／またはグラフィックカーソル、および／またはグラフィックメニュー）を含み得る。グラフィックリソース１４は、構成情報ＣＦ１を選択されたアクセサリデバイス１と関連付けるための１つまたは複数のグラフィックオブジェクト１４１Ｂ（たとえば、活動化可能なアイコン付きのグラフィックメニュー）を含み得る。好ましくは、構成情報ＣＦ１は、コンピュータ化プラットフォーム３４０へ遠隔送信し、その後処理するためにコンピュータ化ユニット５０によって保管される。
【００５１】
構成方法ＣＦＰの別のステップでは、コンピュータ化ユニット５０は、ＧＵＩ５００上に第５のグラフィックリソース１５を提示して（好ましくは、その１つまたは複数の専用構成ページ１５０）、ユーザが、選択されたアクセサリデバイス１を電気プラントに関連付けるための第２の構成情報ＣＦ２を提供するのを助ける（図１１、１２、１３）好都合なことに、構成情報ＣＦ２は、構成されるべき選択されたアクセサリデバイス１を対応する電気プラントにどのように関連付けるかについての連係情報を含む。好ましくは、構成情報ＣＦ２は、コンピュータプラットフォーム３４０へ遠隔送信し、その後処理するためにコンピュータ化ユニット５０によって保管される。好ましくは、第５のグラフィックリソース１５は、選択されたアクセサリデバイス１を既存の電気プラントに関連付けるための１つまたは複数のグラフィックオブジェクト１５１Ａ、１５１Ｂ（たとえば、グラフィックアイコンおよび／またはグラフィックメニュー）を含む。好ましくは、既存のプラントについての情報はコンピュータ化ユニット５０によって保管される。好都合なことに、ユーザは、グラフィックメニュー１５１Ａによって既存のプラントを選択することができ（それによって、対応する情報のセットが検索される）、またアクセサリデバイス１に対応するグラフィックアイコン１５１Ｂを選択的にただ単に活動化することによって、前記選択されたアクセサリデバイス１を前記既存のプラントに（より具体的には、対応する情報のセットに）関連付けることができる。好ましくは、第５のグラフィックリソース１５は、選択されたアクセサリデバイス１を新しい電気プラントに関連付けるための１つまたは複数のグラフィックオブジェクト１５２、１５３Ａ、１５１Ｂ（たとえば、グラフィックアイコン、グラフィックマスク、グラフィックボタン、および／またはグラフィックメニュー）を含む。好ましくは、第５のグラフィックリソース１５は、前記新しい電気プラントの所有者を規定するための１つまたは複数のグラフィックオブジェクト１５２（たとえば、グラフィックメニューおよびグラフィックボタン）を含む。好ましくは、第５のグラフィックリソース１５は、新しい電気プラントについての情報を提供するユーザを助けるための１つまたは複数のグラフィックオブジェクト１５３Ａ（たとえば、グラフィックマスク）を含む。好ましくは、第５のグラフィックリソース１５は、ユーザによってグラフィックオブジェクト１５２を介して規定された新しい電気プラントにアクセサリデバイス１を関連付けるための、１つまたは複数のグラフィックオブジェクト１５１Ｂ（たとえば、グラフィックアイコンおよび／またはグラフィックメニュー）を含む。好都合なことに、ユーザは、アクセサリデバイス１に対応するグラフィックアイコン１５１Ｂを選択的にただ単に活動化することによって、前記選択されたアクセサリデバイス１を前記新しいプラントに（より具体的には、対応する情報のセットに）関連付けることができる。
【００５２】
構成方法ＣＦＰの別のステップでは、コンピュータ化ユニット５０は、ＧＵＩ５００上に第６のグラフィックリソース１６を提示して、ユーザが、選択されたアクセサリデバイス１の構成プロセスを起動するのを助ける。グラフィックリソース１６は、１つまたは複数の構成ページ１５０内にグラフィックリソース１５と共に（図１１、図１３に示されるように）、またはＧＵＩ５００の１つまたは複数の専用構成ページ内に、提示することができる。好ましくは、グラフィックリソースは、ユーザによって活動化される１つまたは複数のグラフィックオブジェクト１６１（たとえば、グラフィックボタン）を含む。対応するグラフィックアイコン１３１を活動化することによって、実行コマンドがコンピュータ化ユニット５０へ送出されて、選択されたアクセサリデバイス１の上記の構成プロセスが実行される。
【００５３】
構成方法ＣＦＰの別のステップでは、コンピュータ化ユニット５０は、第６のグラフィックリソース１６の活動化に応じて、選択されたアクセサリデバイス１の構成プロセスを実行する。
【００５４】
前記構成プロセスのステップでは、コンピュータ化ユニット５０は、保管された第１および第２の構成情報ＣＦ１、ＣＦ２に基づいて、選択されたアクセサリデバイス１のデータ収集ファイルＤＧＦおよびデータ発行ファイルＤＰＦを生成する。
【００５５】
前記構成プロセスの別のステップでは、コンピュータ化ユニット５０は、生成されたデータ収集ファイルＤＧＦおよびデータ発行ファイルＤＰＦを選択されたアクセサリデバイスへ送信する。
【００５６】
前記構成プロセスの別のステップでは、コンピュータ化ユニット５０は、第１および第２の構成情報ＣＦ１、ＣＦ２をコンピュータ化プラットフォーム３４０へ送信する。
【００５７】
上述の構成プロセスの各ステップの組み合わせは、選択されたアクセサリデバイス１を適正に構成することを可能にすると同時に、選択されたアクセサリデバイス１と適正に通信および対話をするようにコンピュータ化プラットフォーム３４０を設定することを可能にするので、特に有利である。
【００５８】
好ましくは、構成方法ＣＦＰの別のステップでは（図１４）、コンピュータ化ユニット５０は、ＧＵＩ５００上に第７のグラフィックリソース１７を提示して（たとえば、その１つまたは複数の専用構成ページ１７０）、ユーザがＥＵＬＡ（エンドユーザライセンス契約）に署名するのを助ける。好ましくは、グラフィックリソースは、前記ＥＵＬＡについての情報を伝える１つまたは複数のグラフィックオブジェクト１７１（たとえば、グラフィックセクション）と、ユーザにより活動化可能な１つまたは複数のグラフィックオブジェクト１７２（たとえば、グラフィックボタン）とを含む。対応するグラフィックボタン１７２を活動化することによって、実行コマンドがコンピュータ化ユニット５０へ送出されて前記署名情報（承諾または拒絶）が保管される。
【００５９】
構成方法ＣＦＰの別のステップでは、コンピュータ化ユニット５０は、グラフィックリソース１７の（より詳細には、グラフィックオブジェクト１７２の）活動化に応じて、保管された署名情報をコンピュータ化プラットフォーム３４０へ送信する。
【００６０】
別の態様では、本発明は、電力配電網２５０の電子式保護リレー２に動作可能に結合された、またはその中に備えられた少なくとも１つのアクセサリデバイスを構成するための構成方法ＣＦＰに関する。
【００６１】
構成方法ＣＦＰは以下のステップ、すなわち、
−  コンピュータ表示装置（５２）上に、ユーザにより活動化可能なグラフィックリソース１９０、１１、１２、１３、１４、１５、１６、１７、１８を含むグラフィックユーザインターフェース（ＧＵＩ）５００を提示するステップと、
−  ＧＵＩ５００上に第１のグラフィックリソース１１を提示して、ユーザが、１つまたは複数の構成可能アクセサリデバイスの構成を実行するために必要な所与の動作条件があるかどうかを確かめるのを助けるステップと、
−  ＧＵＩ５００上に第２のグラフィックリソース１２を提示して、ユーザが、構成可能アクセサリデバイス１との通信リンクを確立するための探索を起動するのを助けるステップと、
−  第２のグラフィックリソース１２の活動化に応じて、構成可能アクセサリデバイス１のインターネットを介する探索を行うステップと、
−  ＧＵＩ５００上に第３のグラフィックリソース１３を提示して、ユーザが、以前の構成ステップにおいて探索され見つけられた前記１つまたは複数の構成可能アクセサリデバイスの中からアクセサリデバイス１を選択するのを助け、また選択されたアクセサリデバイスにアクセスするためのセキュリティアクセスコードを提供するのを助けるステップであって、前記セキュリティアクセスコードが、前記選択されたアクセサリデバイスから手動で取得可能である、ステップと、
−  前記セキュリティアクセスコードの入力に応じて、選択されたアクセサリデバイス１との通信チャネルを活動化するステップと、
−  ＧＵＩ  ５００上に第４のグラフィックリソース１４を提示して、ユーザが、選択されたアクセサリデバイス１を構成するための第１の構成情報ＣＦ１を提供するのを助けるステップと、
−  ＧＵＩ  ５００上に第５のグラフィックリソース１５を提示して、ユーザが、選択されたアクセサリデバイス１を電気プラントに関連付けるための第２の構成情報ＣＦ２を提供するのを助けるステップと、
−  ＧＵＩ  ５００上に第６のグラフィックリソース１６を提示して、ユーザが、選択されたアクセサリデバイス１の構成プロセスを起動するのを助けるステップと、
−  第６のグラフィックリソース１６の活動化に応じて前記構成プロセスを実行するステップであって、前記構成プロセスが以下のステップ、すなわち、
−  第１および第２の構成情報ＣＦ１、ＣＦ２に基づいて、選択されたアクセサリデバイス１用のデータ収集ファイルＤＧＦおよびデータ発行ファイルＤＰＦを生成するステップ、
−  データ収集ファイルＤＧＦおよびデータ発行ファイルＤＰＦを選択されたアクセサリデバイス１へ送信するステップ、ならびに
−  第１および第２の構成情報ＣＦ１、ＣＦ２をコンピュータ化プラットフォーム３４０へ送信するステップを含む、構成プロセスを実行するステップとを含む。
【００６２】
好ましくは、構成方法ＣＦＰは、ＧＵＩ５００上にログイン構成ページ１９０を提示して、ユーザが、前記構成方法を実行するためのログイン情報を提供するのを助けるステップを含む。
【００６３】
好ましくは、構成方法ＣＦＰは、ＧＵＩ５００上に第７のグラフィックリソース１７を提示して、ユーザがＥＵＬＡに署名するのを助けるステップを含む。
【００６４】
別の態様では、本発明は、記憶媒体に記憶されるか記憶可能である、また構成方法ＣＦＰを実施するように構成されたソフトウェア命令を含んでいる、コンピュータプログラムに関する。
【００６５】
別の態様では、本発明は、構成方法ＣＦＰを実施するためのソフトウェア命令を実行するように構成されたコンピュータ化構成ユニット５０に関する。
【００６６】
コンピュータ化システム１００は、簡単な構成方法ＣＦＰを実施して１つまたは複数のアクセサリデバイス１を構成することを可能にし、したがって、このアクセサリデバイスは、「プラグアンドプレイ」モードに応じて（既存の電子式保護リレー２にも）容易に組み込むことができ、そのために、既存の電子式保護リレーの機能を拡張するために追加介入するのに特に適合している。
【００６７】
構成方法ＣＦＰにより、ユーザが、電力配電ネットワークのモデル化の経験が少ない要員でも実行できる簡単なステップに助けられて、アクセサリデバイス１の構成プロセスを実行することが可能になる。
【００６８】
アクセサリデバイス１は、限定的なエラー確率で、ケーブル敷設およびプログラミングの作業の必要性を回避または低減しながら、速く効率的に構成することができる。コンピュータ化システム１００は、工業レベルで容易かつ安価に実現するものである。
【符号の説明】
【００６９】
１  アクセサリデバイス
１Ａ  第１の通信ポート
１Ｂ  第２の通信ポート
２  電子式保護リレー、保護リレー
２Ａ  電子デバイス、電子式保護デバイス、保護リレー
２Ｂ  電子デバイス、電子式保護デバイス、保護リレー
２Ｃ  電子デバイス、電子式保護デバイス、保護リレー
２Ｄ  電子デバイス
１１  ビジュアルグラフィックリソース、グラフィックリソース
１２  ビジュアルグラフィックリソース、グラフィックリソース
１３  ビジュアルグラフィックリソース、グラフィックリソース
１４  ビジュアルグラフィックリソース、グラフィックリソース、外側ハウジング
１５  ビジュアルグラフィックリソース、グラフィックリソース
１６  ビジュアルグラフィックリソース、グラフィックリソース
１７  ビジュアルグラフィックリソース、グラフィックリソース
１８  ビジュアルグラフィックリソース、グラフィックリソース
２０  開閉デバイス
２１  電子デバイス、保護制御ユニット、制御ユニット
２２  電子デバイス、アクセサリデバイス
２３  電子デバイス、アクセサリデバイス
２４  電子デバイス、アクセサリデバイス
２５  第１の通信バス、ローカルバス
２６  第３の通信バス、配電盤バス
２７  第２の通信バス、システムバス
３０  コンピュータ化ユニット、遠隔のコンピュータ化ユニット、コンピュータ化発行ユニット
３１  第２の処理手段
４０  コンピュータ化ユニット、遠隔のコンピュータ化ユニット、管理プラットフォーム
４１  第３の処理手段
５０  コンピュータ化ユニット、遠隔のコンピュータ化ユニット、コンピュータ化構成ユニット、
５１  第４の処理手段、処理ユニット
５２  コンピュータ表示装置、表示装置
１００  コンピュータ化システム
１１０  専用構成ページ
１１１  グラフィックオブジェクト
１１２  グラフィックオブジェクト
１２０  専用構成ページ
１２２  グラフィックオブジェクト
１３０  専用構成ページ
１３１  グラフィックオブジェクト
１３２  グラフィックオブジェクト
１４０  専用構成ページ
１４１Ａ  グラフィックオブジェクト
１４１Ｂ  グラフィックオブジェクト
１５０  専用構成ページ
１５１Ａ  グラフィックオブジェクト
１５１Ｂ  グラフィックオブジェクト
１５２  グラフィックオブジェクト
１５３Ａ  グラフィックオブジェクト
１６１  グラフィックオブジェクト
１７０  専用構成ページ
１７１  グラフィックオブジェクト
１７２  グラフィックボタン
１９０  ビジュアルグラフィックリソース、グラフィックリソース
１９０Ａ  グラフィックオブジェクト
２００  開閉装置
２５０  電力配電網
３４０  コンピュータ化プラットフォーム
５００  グラフィックユーザインターフェース、ＧＵＩ
【図１】
2018153073.tif 000003
【図２】
2018153073.tif 000004
【図３】
2018153073.tif 000005
【図３Ａ】
2018153073.tif 000006
【図４】
2018153073.tif 000007
【図５】
2018153073.tif 000008
【図６】
2018153073.tif 000009
【図７】
2018153073.tif 000010
【図８】
2018153073.tif 000011
【図９】
2018153073.tif 000012
【図１０】
2018153073.tif 000013
【図１１】
2018153073.tif 000014
【図１２】
2018153073.tif 000015
【図１３】
2018153073.tif 000016
【図１４】
2018153073.tif 000017
【外国語明細書】
2018153073000001.pdf
2018153073000002.pdf
2018153073000003.pdf
2018153073000004.pdf